(57)【要約】【課題】換気開放した窓をロック保持して、窓が風圧を受けて閉じ姿勢に戻るのを確実に防止し、日常的に強い風を受ける中高層住宅の窓に好適な換気ステーを提供する。【解決手段】窓２に切換えベース４を、開口枠に掛止体５をそれぞれ設ける。切換えベース４には、牽制アーム８を換気位置と全開位置とに切り換える切換え具６を設ける。牽制アーム８の一端は切換え具６に連結ピン７を介して揺動可能に連結し、牽制アーム８の他端に掛止体５と係合する係合体２０を設ける。切換えベース４と牽制アーム８との間に、ロック構造を設ける。ロック構造は、切換えベース４でロック位置とロック解除位置とに変位可能に支持されるロック体４１と、牽制アーム８に固定される被ロック体１８とを含む。以て、窓２を換気位置へ開放した状態において、被ロック体１８をロック体４１でロック係合して、牽制アーム８の閉じ方向変位を規制する。【選択図】図１
2008202264.tif 000002
【特許請求の範囲】
【請求項１】
開口枠（１）と窓（２）とのいずれか一方に切換えベース（４）が、他方に牽制アーム（８）と係合する掛止体（５）がそれぞれ設けられており、
切換えベース（４）には、牽制アーム（８）を換気位置と全開位置とに切り換え操作する切換え具（６）が往復変位可能に設けられており、
牽制アーム（８）の一端が切換え具（６）に連結ピン（７）を介して揺動可能に連結され、牽制アーム（８）の他端に掛止体（５）と係合する係合体（２０）が設けられており、
切換え具（６）で牽制アーム（８）を換気位置に切り換えた状態において、牽制アーム（８）の係合体（２０）と掛止体（５）とが連結されて、窓（２）を換気位置において開放規制できるステーであって、
切換えベース（４）と牽制アーム（８）との間に、牽制アーム（８）が換気位置から閉じ位置へ復帰するのを規制するロック構造が設けられており、
ロック構造が、切換えベース（４）でロック位置とロック解除位置とに変位可能に支持されるロック体（４１）と、牽制アーム（８）に固定される被ロック体（１８）とを含み、
窓（２）を換気位置へ開放した状態において、被ロック体（１８）をロック体（４１）でロック係合して、牽制アーム（８）の閉じ方向変位を規制できる窓換気用のステー。
【請求項２】
ロック構造が、ロック体（４１）と、牽制アーム（８）の一端寄りに固定されるロックピン（１８）と、ロック体（４１）をロック位置へ向かって移動付勢するロックばね（４２）とを含み、
切換えベース（４）に、連結ピン（７）およびロックピン（１８）を移行案内する切換え溝（１２）と、ロックピン（１８）を揺動案内するロック溝（１３）とが形成されており、
ロック体（４１）は、ロックピン（１８）の復帰移動を阻止するロック板（４５）と、ロック体（４１）をロック解除操作するロック解除具（４６）とを備えており、
ロック板（４５）には、ロック位置においてロック溝（１３）を横断するロック片（４７）が設けられており、
ロック片（４７）の一方の周縁にロックピン（１８）の復帰移動を阻止するストッパー部（４７ｂ）が、ロック片（４７）の他方の周縁にロックピン（１８）でロック解除方向へ変位操作される導入ガイド部（４７ａ）がそれぞれ形成されており、
換気位置へ変位するロックピン（１８）をロック体（４１）で自動的にロック保持できる請求項１記載の窓換気用のステー。
【請求項３】
ロック体（４１）が、揺動軸（４９）でロック位置とロック解除位置との間を往復揺動可能に軸支されている請求項１または２記載の窓換気用のステー。
【請求項４】
ロック体（４１）が、切換えベース（４）でロック位置とロック解除位置との間を往復スライド可能に案内支持されている請求項１または２記載の窓換気用のステー。
【請求項５】
ロック体（４１）に保持ピン（５１）が設けられており、
ロック解除位置に切り換えた保持ピン（５１）を係合保持するキャッチ体（４３）が切換えベース（４）に設けてある請求項２、３または４記載の窓換気用のステー。
【請求項６】
ロック体（４１）にリセット片（４８）が設けられており、
ロック解除位置においてロック溝（１３）を横断するリセット片（４８）を、ロック溝（１３）から切換え溝（１２）へ復帰移動するロックピン（１８）で切り換え操作して、ロック体（４１）をロック位置へ自動復帰できる請求項２、３または５記載の窓換気用のステー。
【請求項７】
切換え具（６）が切換えベース（４）で換気位置と全開位置とに往復スライド可能に案内支持されており、
切換え具（６）と切換えベース（４）との間に、切換え具（６）を換気位置と全開位置との各切り換え位置において位置保持するキックばね（３１）が配置してある請求項１から６のいずれかに記載の窓換気用のステー。
【発明の詳細な説明】
【技術分野】
【０００１】
本発明は、揺動開閉される窓と開口枠との間に設けられて、換気位置に開放した窓を牽制アームで開放規制でき、必要時には牽制アームによる開放規制作用を解除して、窓を閉じ位置から全開放位置へ直接開き操作できる窓換気用のステーに関する。
【背景技術】
【０００２】
この種のステーは、本出願人の提案に係る特許文献１に公知である。そこでは、牽制アームを上方の換気位置と、下方の全開位置とにスライド切り換えすることができ、換気位置に切り換えた状態においては、窓が換気位置を越えて開放操作されるのを牽制アームで規制できる。牽制アームの揺動端にはプラスチック製のロック片が装着してあり、換気状態において窓に固定した係合ピンをロック片で係合保持することにより、換気位置に開放した窓が風圧を受けて閉じ状態へ戻るのを防止できるようにしてある。
【０００３】
同様の換気ステーは特許文献２にも開示されている。そこでは、窓を全開放位置から閉じ姿勢へ戻すと、牽制アームを換気開放可能な状態へ自動的にリセットすることができる点が、先の換気ステーと異なる。
【０００４】
【特許文献１】特開２０００−３８８６６号公報（段落番号００１３、００１６、図３）
【特許文献２】特許第３４０１６７８号公報（段落番号００１２、図５）
【発明の開示】
【発明が解決しようとする課題】
【０００５】
特許文献１の換気ステーは、窓に固定した係止ピンをロック片で係合保持することにより、換気位置に開放した窓が風圧を受けて閉じ状態へ戻るのを防止できる。しかし、弾性変形可能な係合爪で係止ピンを係合保持するロック構造を採るので、係合爪と係止ピンとの弾性係合力を超える風圧が作用すると、窓が閉じ位置へ押し戻されてしまう。そのため、日常的に強い風を受ける中高層住宅の窓に換気ステーを適用できない。さらに、窓のサイズに対応して、弾性係合力が大小に異なるロック片を用意しなければならず、換気ステーの管理が煩雑化するのを避けられなかった。
【０００６】
本発明の目的は、窓を換気位置へ開放した状態において牽制アームをロック保持して、窓が風圧を受けて閉じ姿勢に戻るのを確実に防止できる換気ステーを提供することにある。本発明の目的は、窓を換気位置へ開放するのと同時に、自動的に牽制アームをロック保持して、窓が風圧を受けて閉じ姿勢に戻るのを確実に防止できる換気ステーを提供することにある。本発明の目的は、換気位置において牽制アームをロック体で自動的にロック保持できるうえ、ロック体をロック解除状態に保持して窓の閉じ操作を簡便化でき、さらに窓を完全に閉じ操作することによりロック体を再度ロック状態にリセットできる、使い勝手と防犯効果に優れた換気ステーを提供することにある。本発明の目的は、日常的に強い風を受ける中高層住宅の窓に好適な換気ステーを提供することにある。
【課題を解決するための手段】
【０００７】
本発明の窓換気用のステーは、開口枠１と窓２とのいずれか一方に切換えベース４を、他方に牽制アーム８と係合する掛止体５をそれぞれ設ける。切換えベース４には、牽制アーム８を換気位置と全開位置とに切り換え操作する切換え具６が往復変位可能に設けられる。牽制アーム８の一端は切換え具６に連結ピン７を介して揺動可能に連結し、牽制アーム８の他端に掛止体５と係合する係合体２０を設ける。切換え具６で牽制アーム８を換気位置に切り換えた状態において、牽制アーム８の係合体２０と掛止体５とが連結されて、窓２を換気位置において開放規制できる。切換えベース４と牽制アーム８との間に、牽制アーム８が換気位置から閉じ位置へ復帰するのを規制するロック構造を設ける。ロック構造は、切換えベース４でロック位置とロック解除位置とに変位可能に支持されるロック体４１と、牽制アーム８に固定される被ロック体１８とを含む。以て、窓２を換気位置へ開放した状態において、被ロック体１８をロック体４１でロック係合して、牽制アーム８の閉じ方向変位を規制できるようにする。
【０００８】
ロック構造は、ロック体４１と、牽制アーム８の一端寄りに固定されるロックピン１８と、ロック体４１をロック位置へ向かって移動付勢するロックばね４２とを含む。切換えベース４に、連結ピン７およびロックピン１８を移行案内する切換え溝１２と、ロックピン１８を揺動案内するロック溝１３とを形成する。ロック体４１は、ロックピン１８の復帰移動を阻止するロック板４５と、ロック体４１をロック解除操作するロック解除具４６とを備えている。ロック板４５には、ロック位置においてロック溝１３を横断するロック片４７を設ける。ロック片４７の一方の周縁にロックピン１８の復帰移動を阻止するストッパー部４７ｂを形成し、ロック片４７の他方の周縁にロックピン１８でロック解除方向へ変位操作される導入ガイド部４７ａを形成する。以て、換気位置へ変位するロックピン１８をロック体４１で自動的にロック保持できるようにする。
【０００９】
ロック体４１は、揺動軸４９でロック位置とロック解除位置との間を往復揺動可能に軸支する。
【００１０】
図１２に示すように、ロック体４１は、切換えベース４でロック位置とロック解除位置との間を往復スライド可能に案内支持する。
【００１１】
ロック体４１に保持ピン５１を設け、ロック解除位置に切り換えた保持ピン５１を係合保持するキャッチ体４３を切換えベース４に設ける。
【００１２】
ロック体４１にリセット片４８を設ける。ロック解除位置においてロック溝１３を横断するリセット片４８を、ロック溝１３から切換え溝１２へ復帰移動するロックピン１８で切り換え操作して、ロック体４１をロック位置へ自動復帰できるようにする。
【００１３】
切換え具６は切換えベース４で換気位置と全開位置とに往復スライド可能に案内支持する。切換え具６と切換えベース４との間に、切換え具６を換気位置と全開位置との各切り換え位置において位置保持するキックばね３１を配置する。
【発明の効果】
【００１４】
本発明においては、切換えベース４、掛止体５、切換え具６、および牽制アーム８などで構成した窓換気用のステーにおいて、切換えベース４と牽制アーム８との間に、牽制アーム８を換気位置においてロックするロック構造を設けた。ロック構造は、切換えベース４でロック位置とロック解除位置とに変位可能に支持されるロック体４１と、牽制アーム８に固定される被ロック体１８等で構成し、窓２を換気位置へ開放した状態において被ロック体１８をロック体４１でロック係合して、牽制アーム８の閉じ方向変位を規制できるようにした。したがって、本発明の窓換気用のステーによれば、換気開放した窓２が風圧を受けて閉じ姿勢に戻るのを確実に防止でき、日常的に強い風を受ける中高層住宅の窓であっても確実に換気位置に開放保持できる。
【００１５】
ロック体４１、ロックピン１８、ロックばね４２などでロック構造を構成し、ロックピン１８の復帰移動を阻止するロック板４５と、ロック解除具４６などでロック体４１を構成するロック構造によれば、常態においてロック板４５をロック位置に位置保持でき、この状態においてロック板４５に設けたロック片４７がロック溝１３を横断している。ロック片４７の一方の周縁には、ロックピン１８の復帰移動を阻止するストッパー部４７ｂが形成され、ロック片４７の他方の周縁には、ロックピン１８でロック解除方向へ変位操作される導入ガイド部４７ａが形成してある。したがって、窓２を閉じ位置から換気位置へ開放すると、牽制アーム８と同行揺動するロックピン１８がロック片４７の導入ガイド部４７ａに接当して、ロック板４５をロックばね４２の付勢力に抗しながらロック解除方向へ変位操作する。その結果、ロックピン１８はロック片４７をくぐり抜けるようにしてロック溝１３に沿って変位し、換気位置へ切り換わった状態において、ロック位置へ復帰したロック板４７によってロック保持される。以後はロックピン１８をロック片４７のストッパー部４７ｂで受け止めて窓２が閉じ位置側へ変位するのを確実に防止できる。
【００１６】
上記のように、ロック体４１を常にロック位置へ向かってロック保持しておき、牽制アーム８が換気位置へ変位するときのロックピン１８の移動動作でロック体４１をロック解除方向へ変位操作し、換気開放位置においてロックピン１８をロック板４５で自動的にロック保持できるようにすると、牽制アーム８を切換え具６で換気姿勢に切り換えた後は、窓２を換気位置まで開放操作するだけで、ロックピン１８をロック板４５で自動的にロック保持できるので、使用者がロック機能を熟知しているか否かに関係なく、窓２を自動的に換気位置に保持できる。さらに、窓２を換気開放した状態でロック体４１をロック位置へ切り換え操作する必要がないので、その分だけ窓開放の手間を省いて、窓換気用のステーの使い勝手を向上できる。換気位置においては、ロックピン１８がロック溝１３と係合しており、窓２を閉じた状態でないと牽制アーム８を換気位置から全開位置へ切り換えることができない。したがって、建物外部から切換え具６を全開位置へ操作するのを確実に阻止して防犯性を向上できる。
【００１７】
ロック体４１が揺動軸４９でロック位置とロック解除位置とに往復揺動可能に軸支してあるロック構造によれば、ロックピン（被ロック体）１８が移動するときの揺動モーメントによってロック体４１をロック解除方向へ操作できるので、ロックピン１８によるロック片４７のくぐり抜けを円滑に行って、ロック体４１によるロックピン１８のロック保持動作を軽快にしかも確実に行うことができる。ロック状態においてロック片４７に作用するロックピン１８の力の向きと、揺動軸４９の中心位置との位置関係を好適化することにより、ロックピン１８がロック位置から離脱する向きに移動しようとする力を利用して、ロック体４１をロック保持する向きに操作できるので、窓２に大きな風圧がかかる場合にも、ロック体４１によるロックピン１８のロック保持を確実に行え、強度的にも有利である。
【００１８】
ロック体４１を切換えベース４でロック位置とロック解除位置とに往復スライド可能に案内支持するロック構造によれば、ロックピン１８をロック板４５で自動的にロック保持できるうえ、揺動支持されるロック板４５に比べてロック板４５の構造を簡素化し、ロック体４１の切り換え動作を単純化できる。
【００１９】
ロック体４１に保持ピン５１を設け、ロック解除位置に切り換えた保持ピン５１を、切換えベース４に設けたキャッチ体４３で係合保持するロック構造によれば、ロック解除操作したロック体４１をキャッチ体４３で捕捉して、ロック解除位置に保持固定できるので、ロック解除具４６を片方の手でロック解除位置に位置保持したのまま、つまり不自然な姿勢のままで窓２を閉じ操作する必要がなく、窓２の閉じ操作を楽にしかも簡便に行える。
【００２０】
ロック体４１にリセット片４８を設け、ロック解除位置においてリセット片４８がロック溝１３を横断するように構成したロック構造によれば、ロックピン１８がロック溝１３から切換え溝１２へ復帰移動する間に、リセット片４８をロックピン１８で切り換え操作して、ロック体４１をロック位置へ自動的にリセットできるので、窓２を閉じ操作した後にロック体４１をロック位置に切り換える手間を省略し、窓換気用のステーの使い勝手をさらに向上できる。
【００２１】
切換え具６を切換えベース４で換気位置と全開位置とに往復スライド可能に案内支持し、切換え具６と切換えベース４との間にキックばね３１を配置する窓換気用のステーによれば、切換え具６をキックばね３１で換気位置と全開位置との各切り換え位置において位置保持できるので、切換え具６を換気位置と全開位置とに位置保持するための構造を簡素化できる。
【発明を実施するための最良の形態】
【００２２】
（実施例）  図１ないし図１１は本発明に係る窓換気用のステーの実施例を示す。図２および図３において符号１は開口枠、２は窓である。窓２は開口枠１に固定した上下一対のヒンジ３で揺動開閉自在に支持されており、窓２を閉じた状態においては、図示していない錠で開放不能に固定保持できる。窓２を換気位置において位置保持するために、窓２の揺動先端と開口枠１との間に本発明のステーを設けている。
【００２３】
図３において窓換気用のステーは、開口枠１にビスで締結固定される切換えベース４と、窓２の縦枠の側端面にビスで締結固定される掛止枠（掛止体）５と、切換えベース４で上下に往復スライド可能に案内支持される切換え具６と、一端が切換え具６に連結ピン７を介して連結される牽制アーム８と、切換えベース４と牽制アーム８との間に設けられるロック構造などで構成する。
【００２４】
図４において切換えベース４は、開口枠１の側へ向かって開口する上下に長い長方形状のプレス金具からなり、上下端のそれぞれに締結座１１が折り曲げ形成してある。切換えベース４の内部には、切換え具６や、後述するロック体４１などが組み込まれ、切換えベース４の外面に牽制アーム８や、切換え具６の操作レバー２４、およびロック体４１の解除レバー４６などが組み付けてある。切換えベース４の外面壁の上下中途部には、逆し字状に連続する切換え溝１２およびロック溝１３が形成され、外面壁の上部に部分円弧状の保持溝１４が形成してある。切換え溝１２の下部で室内側に隣接する面壁には、先の操作レバー２４用の操作窓１５が開口してある。
【００２５】
牽制アーム８は、ステンレス板材を素材とする上下両端が丸められた帯板状のプレス成形品からなり、その中途部が段違い状に折曲げてある（図５参照）。牽制アーム８の切換えベース４との対向面の上端寄りにはロックピン（被ロック体）１８が固定され、その下側に隣接して連結ピン７が締結される。さらに、牽制アーム８の掛止枠５との対向面の下端寄りには係合ピン（係合体）２０が固定してある。係合ピン２０の突端には、軸部分より大径のフランジ部２０ａが張り出してある。
【００２６】
切換え具６は、切換えベース４で上下往復スライド可能に案内支持されるスライダー２３と、スライダー２３に対して着脱可能に固定される操作レバー２４とで構成する。スライダー２３は矩形ブロック状のプラスチック成形品からなり、その面壁に先の連結ピン７を組み付けるためのピン穴や、後述するキックばね３１用の逃げ凹部２６などが形成してある。操作レバー２４は、ステンレス板を階段状に折曲げたレバー本体２４ａと、レバー本体２４ａの室内側の端部にビス固定されるノブ２４ｂとで構成してある。
【００２７】
操作レバー２４をスライダー２３に対して着脱するために、スライダー２３に上下一対のレバーピン２７を固定し、操作レバー２４の室内側の端部板面に一対の掛止溝２８を形成している。これらの掛止溝２８を図９に示すようにレバーピン２７に掛止したのち、先の端部板面をビス２９で締結することにより、操作レバー２４をスライダー２３と一体化できる。必要時には、ビス２９を緩めて図１に示すように操作レバー２４をスライダー２３から取り外すと、管理者以外の人による切換え具６の上下切り換えを阻止できる。
【００２８】
捻りコイルばねからなるキックばね３１の一端をスライダー２３に掛止し、他端を切換えベース４の内面に軸支した状態で、スライダー２３を切換えベース４の内面にあてがい、先のようにスライダー２３に操作レバー２４を固定することにより、切換え具６と切換えベース４とを一体化できる。さらに、ロックピン１８を切換え溝１２に係合し、スライダー２３と牽制アーム８を連結ピン７で連結することにより、牽制アーム８とスライダー２３を切換えベース４を間にして一体化できる。操作レバー２４を操作窓１５に沿って上下操作すると、切換え具６と牽制アーム８を上方の換気位置（図６に示す状態）と、下方の全開位置（図５および図７に示す状態）とに往復変位できる。キックばね３１は、切換えベース４を換気位置と全開位置との各切り換え位置において位置保持するために設けてある。
【００２９】
図５に示すように連結ピン７は、スライダー２３と、牽制アーム８を連結する状態でかしめ固定されており、これにより牽制アーム８をスライダー２３に対して相対揺動可能に軸支できる。この組み付け状態において、連結ピン７ａの軸部分が切換えベース４の切換え溝１２で移行案内される。窓２は開口枠１に対してヒンジ３の回りに揺動開閉する。そのため窓２を換気位置まで開放したとき、その窓縦枠の側端面は、図２に示すように切換えベース４の装着面に対して非平行になる。このような窓２の開閉に伴う牽制アーム８の姿勢変化を円滑化するために、連結ピン７ａをスライダー２３に対して軸心方向へ遊動可能とし、さらに連結ピン７ａを切換え溝１２に対して傾動可能とし、連結ピン７ａとスライダー２３との間に、ビスおよび牽制アーム８をスライダー２３の側へ引寄せ付勢する圧縮ばね３２を配置している（図５参照）。
【００３０】
掛止枠５は、窓縦枠の側へ向かって開口する上下に長い長方形状のプレス金具からなる。掛止枠５の外面壁には、牽制アーム８の係合ピン２０と係合する縦長のガイド溝３４が形成され、ガイド溝３４の下端に係合口３５が開口してある。窓２を閉じ、切換え具６を全開位置に切り換えた状態においては、図６に想像線で示すように係合口３５の下方に係合ピン２０が位置しているので、窓２を閉じ位置から直接全開操作できる。窓２を閉じた状態で、切換え具６を全開位置から上方へスライド操作して換気位置に切り換えると、図３に実線で示すように、係合ピン２０が係合口３５を介してガイド溝３４内へ進入するので、窓２は係合ピン２０がガイド溝３４の上端に接当する換気位置まで開放でき、以後は全開位置側への窓開放を規制できる。
【００３１】
換気位置において、係合ピン２０が閉じ側へスライド復帰するのを規制するために、ガイド溝３４の溝端内面にプラスチック製の弾性ロック片３６を設けている。弾性ロック片３６は、係合ピン２０のフランジ部２０ａを係合捕捉する一対の弾性腕３７と、弾性腕３７の基端左右に設けられる一対の嵌合爪３８とを備えている。両嵌合爪３８を掛止枠５の上部左右に形成した切欠溝３９に圧入嵌合することにより、弾性ロック片３６を掛止枠５と一体化できる。
【００３２】
換気開放した状態の窓２が風圧を受けて閉じ位置へ押し戻されるのを防ぐために、上記の弾性ロック片３６とは別に、切換えベース４と牽制アーム８との間にロック構造を設けている。この実施例におけるロック構造は、換気位置へ変位する牽制アーム８のロックピン１８を自動的にロック保持する自動ロック機能と、ロック解除状態に切り換えられたロック構造を自動的にロック状態に戻す自動リセット機能とを備えている。
【００３３】
図１および図４に示すように、ロック構造は、切換えベース４に組み付けられるロック体４１と、牽制アーム８に固定したロックピン１８と、ロック体４１をロック位置へ向かって揺動付勢するロックばね４２と、ロック解除位置に切り換えたロック体４１を係合保持するキャッチ体４３などで構成する。ロック体４１は、ロックピンの復帰移動を阻止するロック板４５と、ロック板４５をロック解除操作する解除レバー（ロック解除具）４６とで構成する。ロックばね４２は捻りコイルばねからなる。
【００３４】
ロック板４５は、下縁側に三角形状のロック片４７とリセット片４８とを形成したステンレス板材製のプレス金具からなり、リセット片４８寄りの板面が揺動軸４９で軸支してある。ロック板４５の板面には、先のキャッチ体４３で係合捕捉される保持ピン５１と、ロックばね４２の一端を掛止するためのピン５２とが固定してある。
【００３５】
保持ピン５１が保持溝１４と係合する状態で、ロック板４５を切換えベース４の内面にあてがい、揺動軸４９と保持ピン５１に解除レバー４６の連結座４６ａを係合したのち、揺動軸４９および保持ピン５１をかしめ固定することにより、ロック板４５と解除レバー４６とが一体化される。この状態のロック体４１は、ロック位置（図１に示す状態）とロック解除位置（図１０に示す状態）とに往復揺動でき、ピン５２と切換えベース４の内側面に掛止したロックばね４２によってロック位置へ向かって揺動付勢される。
【００３６】
キャッチ体４３は、ロック解除位置に切り換えられたロック体４１を位置保持するために設けてあり、切換えベース４の内面隅部にかしめピン５４でかしめ固定される基部５５と、基部５５から斜め下向きに連出される一対の弾性腕５６とを一体に備えたプラスチック成形品からなる。弾性腕５６の内面奥端寄りには、保持ピン５１を捕捉するための狭隘部５７が形成してある（図７参照）。
【００３７】
図７に示すように、常態におけるロック体４１はロックばね４２で揺動付勢されてロック位置にあり、そのロック片４７がロック溝１３を塞いでいる。この状態で切換え具６を全開位置から換気位置へ切り換えると、連結ピン７およびロックピン１８が切換え溝１２に沿って上方移動し、図６に示すようにロックピン１８がロック溝１３の入口（切換え溝１２側の溝端）においてロック片４７に隣接する。このとき、係合ピン２０は掛止枠５のガイド溝３４に入り込んでいる。
【００３８】
上記の状態で窓２を開放操作すると、牽制アーム８は窓２に追随しながら連結ピン７を中心にして傾動する。係合ピン２０がガイド溝３４の上端に達した状態では、ロックピン１８はロック片４７の導入ガイド部４７ａに外接した状態で、ロック板４５の全体をロックばね４２の付勢力に抗して時計回転方向に押し上げ操作する。そして牽制アーム８が換気位置に切り換わる直前に、ロックピン１８がロック片４７の頂部４７ｃを乗り越えてロック溝１３の奥端へと移動する（図１に示す状態）。同時に、ロック体４１はロックばね４２の付勢力によって、ロック片４７が再度ロック溝１３を塞ぐロック位置に復帰して、ロックピン１８が切換え溝１２の側へ復帰移動するのをロック片４７のストッパー部４７ｂで阻止する。つまり、ロック構造は、牽制アーム８のロックピン１８を換気位置において自動ロックできる。
【００３９】
ロックピン１８がロック片４７の導入ガイド部４７ａに外接するときと、ロックピン１８がロック片４７のストッパー部４７ｂに外接するときとでは、ロックピン１８からロック片４７へ伝えられるモーメントの向きが異なる。詳しくは、ロックピン１８が導入ガイド部４７ａに外接するときは、ロック板４７に対して図１１（ａ）に示すように、揺動軸４９を中心にして時計回転方向の揺動モーメントＭが作用する。したがって、ロック板４７は牽制アーム８の傾動に伴ってロックピン１８によってロック解除方向へ揺動操作される。
【００４０】
また、ロックピン１８がストッパー部４７ｂに外接した状態では、ロック板４７に対して図１１（ｂ）に示す復帰傾動力Ｆが作用する。この復帰傾動力Ｆの力の向きは、揺動軸４９の中心位置ないしは揺動軸４９の中心よりリセット片４８の側へ偏った位置を指向する。したがって、ロック板４７がロック解除方向へ揺動変位することはなく、ロックピン１８を換気位置に位置保持できる。つまり、窓２を風圧に対抗して換気位置に固定保持できる。
【００４１】
換気開放した窓２を閉じるときは、図１０に示すように解除レバー４６をロックばね４２の付勢力に抗しながら上向きに揺動操作してロック解除位置へ切り換える。これにより、ロック板４５と同行揺動する保持ピン５１が弾性腕５６を弾性変形させながら狭隘部５７をくぐり抜けて、保持溝１４の奥端に位置保持される。なお、弾性腕５６および狭隘部５７による保持ピン５１の保持力は、ロックばね４２の付勢力より大きいので、ロック体４１がロック位置へ戻ることはない。このときのロック片４７は、ロック溝１３の外へ退避し、リセット片４８がロック溝１３の入口を塞いでいる。したがって、窓２を抵抗なく閉じ操作できる。
【００４２】
上記のように、窓２を換気位置から閉じ操作するときの動作を利用してロック体４１がリセットされる。先に説明したように、ロック体４１をロック位置に切り換えた状態では、リセット片４８がロック溝１３の入口を塞いでいる。そのため、ロックピン１８はリセット片４８を弾性腕５６の保持力に抗して押し戻しながら切換え溝１２へと移行する。これにより、ロック体４１は揺動軸４９の周りに揺動変位し、同時に保持ピン５１が弾性腕５６から抜出るので、ロック体４１を再びロック位置へ切り換えることができる。つまり、ロック解除状態に切り換えられたロック構造を自動的にリセットできる。
【００４３】
図１２はロック構造の別の実施例を示す。そこでは、ロック体４１を切換えベース４で往復スライド可能に案内支持して、ロック位置とロック解除位置とに切り換えられるようにした。そのために、ロック体４１を構成するロック板４５の板面に上下一対のスライドピン６１を固定し、切換えベース４の外面壁に縦長のガイド溝６２を形成した。また、切換えベース４の内面上端壁とロック板４５との間に、圧縮コイルばねからなるロックばね４２を配置して、ロック体４１をロックばね４２でロック付勢できるようにした。ロック板４５の下面には、三角形状のロック片４７を形成し、ロック片４７の一側縁に傾斜する導入ガイド部４７ａを設け、ロック片４７の他側縁に垂直のストッパー部４７ｂを設けるようにした。リセット片４８は省略した。切換えベース４の室内側の側壁には、解除レバー４６用の操作溝６３が形成してある。
【００４４】
上記のロック構造によれば、先の実施例で説明したロック構造と同様に、牽制アーム８のロックピン１８を換気位置においてロック体４１で自動ロックできる。なお、ロック体４１は解除レバー４６を上下操作することで、図１２に実線で示す下方のロック位置と、上方のロック解除位置とに切り換えることができる。他は先の実施例と同じであるので、同じ部材に同じ符号を付してその説明を省略する。以下の実施例においても同様に扱う。
【００４５】
図１３はロック構造のさらに別の実施例を示す。そこでは、ロック板４５を揺動軸４９で上下揺動可能に軸支し、解除レバー４６をロック位置（実線で示す状態）と、ロック解除位置（想像線で示す状態）とに、手動で揺動切り換えできるようにした。解除レバー４６を各切り換え位置において位置保持するために、解除レバー４６に節動突起６５を設け、切換えベース４の内面に節動突起６５を落ち込み係合させるための係合穴６６を形成した。この実施例のロック構造では、解除レバー４６をロック位置に切り換えた状態において、ロック片４７のストッパー部４７ｂがロックピン１８と接当して、ロックピン１８を換気位置に位置保持できる。この場合にも、ロック板４５に作用する復帰傾動力は、ロックピン１８と揺動軸４９の中心同士を結ぶ線より下側を向くので、ロック板４５がロックピン１８でロック解除操作されることはない。
【００４６】
上記の実施例以外に、切換えベース４を窓２に設け、掛止枠５を開口枠１に設けることができる。連結ピン７とロックピン１８の隣接間隔が大きい場合には、切換えベース４に形成される切換え溝１２を、連結ピン７用の切換え溝と、ロックピン１８用の切換え溝とに独立して形成することができる。弾性ロック片３６は省略することができる。換気位置と閉じ位置との間の窓２の開閉ストロークが小さい場合には、解除レバー４６を省略することができる。
【００４７】
被ロック体１８はロック溝１３に沿って往復変位できる棒体、突起などで構成することができ、実施例で説明したロックピン１８のようにピン構造である必要はない。同様に係合体２０はピン構造である必要はない。ロック解除具４６は、そのレバー部分をプレス成形品で形成することにより、窓２を閉じた状態において、窓２と開口枠１とのシール部分を利用してレバーを室内側に露出させることができるが、その必要がない場合には、レバー構造を自由に形成することができる。
【図面の簡単な説明】
【００４８】
【図１】牽制アームのロック構造を示す一部破断側面図である。
【図２】窓と牽制アームの関係構造を示す概略平面図である。
【図３】窓と開口枠と牽制アームの関係構造を示す一部破断側面図である。
【図４】窓換気用のステーの分解斜視図である。
【図５】切換え具およびロック構造を示す縦断正面図である。
【図６】切換え具を換気位置に切り換えた状態の一部破断側面図である。
【図７】切換え具を全開位置に切り換えた状態の一部破断側面図である。
【図８】図７におけるＡ−Ａ線断面図である。
【図９】図７におけるＢ−Ｂ線断面図である。
【図１０】ロック解除状態に切り換えたロック構造の一部破断側面図である。
【図１１】ロック板に対する外力の作用を示す説明図である。
【図１２】ロック構造の別の実施例を示す一部破断側面図である。
【図１３】ロック構造のさらに別の実施例を示す一部破断側面図である。
【符号の説明】
【００４９】
１  開口枠
２  窓
４  切換えベース
５  掛止枠（掛止体）
６  切換え具
７  連結ピン
８  牽制アーム
１２  切換え溝
１３  ロック溝
１８  ロックピン（被ロック体）
２０  係合ピン（係合体）
４１  ロック体
４５  ロック板
４６  解除レバー（ロック解除具）
【図１】
2008202264.tif 000003
【図２】
2008202264.tif 000004
【図３】
2008202264.tif 000005
【図４】
2008202264.tif 000006
【図５】
2008202264.tif 000007
【図６】
2008202264.tif 000008
【図７】
2008202264.tif 000009
【図８】
2008202264.tif 000010
【図９】
2008202264.tif 000011
【図１０】
2008202264.tif 000012
【図１１】
2008202264.tif 000013
【図１２】
2008202264.tif 000014
【図１３】
2008202264.tif 000015